(57)【要約】【課題】十分に微細な気泡を含む微細気泡液の生成を効率よく行うことができるとともに、簡易，安価な気泡微細化器を提供する。【解決手段】本発明は、第一の気泡微細化器Ｂで微細化した気泡をさらに微細化する気泡微細化器であり、複数の液流入孔７０ｃを穿設した隔壁７０ａを送液方向上流側に形成するとともに、一定の内径にして形成した外筒体７０と、外筒体７０内に同軸的に配置され、送液方向に沿う所定の範囲にわたり一定の断面積にした上流側気泡液路βを外筒体７０内に区画形成するように、送液方向に沿う所定の範囲にわたり液流入孔７０ｃに対向する外径に形成した太径部８０ｃと、上流側気泡液路βの下流側に、送液方向上流側から下流側に向けて次第に断面積が拡大する下流側気泡液路γを区画形成するように、その太径部８０ｃから送液方向下流側に向けて次第に細径になる縮径部８０ｄとを形成した軸体７１とを有する。【選択図】図１
2007144421.tif 000002
【特許請求の範囲】
【請求項１】
液体供給源から液体を吸引しかつその吸引した液体を圧送するための圧力ポンプと、
上記圧力ポンプにより圧送される上記液体に気体を混合して生成した気泡液に含まれる気泡を微細化する第一の気泡微細化器とを有する微細気泡液生成装置に用いられ、上記第一の気泡微細化器で微細化した気泡をさらに微細化する気泡微細化器であって、
軸心を中心とした円周上に複数の液流入孔を一定の角度間隔で穿設した隔壁を送液方向上流側に形成するとともに、隔壁の内面から送液方向下流側に開口形成した流出口にかけて一定の内径にして形成した外筒体と、
この外筒体内に同軸的に配置され、送液方向に沿う所定の範囲にわたり一定の断面積にした上流側気泡液路を外筒体内に区画形成するように、送液方向に沿う所定の範囲にわたり液流入孔に対向する外径に形成した太径部と、上流側気泡液路の下流側に、送液方向上流側から下流側に向けて次第に断面積が拡大する下流側気泡液路を区画形成するように、その太径部から送液方向下流側に向けて次第に細径になる縮径部とを形成した軸体とを有していることを特徴とする気泡微細化器。
【請求項２】
上流側気泡液路に流入する気泡液の液量を増減調整する液量調整機構を設けていることを特徴とする請求項１に記載の気泡微細化器。
【請求項３】
液量調整機構は、隔壁の軸心に一致して形成され、軸体を螺合連結するためのネジ孔と、軸体の軸心に一致して形成され、上記隔壁のネジ孔に螺合するためのねじ部とにより構成され、軸体を正逆回転させることにより、軸体の基端面と側壁の内面との間に生じる間隙を広狭調整することを特徴とする請求項２に記載の気泡微細化器。
【請求項４】
軸体の基端面又は外筒体の隔壁若しくはそれら双方に、液流入孔から気泡液路に至る間隙を確保するための凹凸を形成していることを特徴とする請求項３に記載の気泡微細化器。
【請求項５】
外筒体には、気泡液を排出するための連結口を含む３つの連結口を３方向に形成したＴ字形の管継手が連結されており、
軸体を、外筒体に連結した管継手の連結口の外方に突出する長さに形成していることを特徴とする請求項１〜４のいずれかに記載の気泡微細化器。
【発明の詳細な説明】
【技術分野】
【０００１】
本発明は、例えば廃液中に含まれる油脂類の分離処理や余剰汚泥処理等を行う微細気泡液生成装置に用いる気泡微細化器に関するものである。
【背景技術】
【０００２】
従来、この種の微細気泡液生成装置として、例えば特許文献１〜５に開示された構成のものがある。
【０００３】
特許文献１に開示されている微細気泡液生成装置は、液体及び気体の混合流体を吸引する気液混合ポンプと、気液混合ポンプの吐出流体に抵抗を付与する抵抗器と、気液混合ポンプの回転速度を制御するインバータとを備え、気液混合ポンプのケーシングの内周に径方向に狭い環状の流体通路を形成し、羽根車の外周に流体通路に突出する多数の撹拌羽根を設けたことを特徴としたものである。
【０００４】
上記特許文献１に開示された微細気泡液生成装置では、単一の気液混合ポンプによって所要の微細気泡を一時に生成しようとしたものであるために、ケーシングの内周に径方向に狭い環状の流体通路を形成し、また、羽根車の外周に流体通路に突出する多数の撹拌羽根を設ける等の複雑な構造にする必要が生じる。
【０００５】
また、気液混合ポンプの回転速度を正確にコントロールするためのインバータを採用しなければならず高価なものとならざるを得ない。
さらに、気液混合ポンプ等の保守・点検作業を行うには、その複雑かつ特殊な構造を熟知する必要があり、その作業を容易に行うことができないものである。
【０００６】
特許文献２に開示された微細気泡液生成装置は、図３（ｂ）に示されるように、気液生成器と第一の気泡微細化器と圧力ポンプと第２の気泡微細化器が順に配置された構成のものである。
特許文献３に開示された微細気泡液生成装置は、図１７に示されるように、気泡液生成器、圧力ポンプ、第一の気泡微細化器、第二の気泡微細化詣をこの順で配置されているとともに、第２の気泡微細化器が貯留槽内に配置された構成のものである。
【０００７】
特許文献４に開示された気泡微細化器は、図１に示されるように、液送管路に沿った所定の範囲にわたり一定の断面積にした上流側気泡液路と、これの下流側に、送液方向上流側から下流側に向けて次第に断面積が拡大する上流側気泡液路とを連成しているとともに、送液方向上流側に液流入孔を穿設した隔壁が形成された構成のものである。
【０００８】
特許文献５に開示された気泡微細化器は、Ｆｉｇ９に示されるように、特許文献４に示されている構成の同様の上流側気泡液路、上流側気泡液路とが記載されているとともに、液送管路に沿う所定の範囲にわたり一定の断面積にした上流側気泡液路を区画形成するように送液方向に沿う所定の範囲にわたり一定の外径にした太径部と、この上流倒気泡液路の下流側に送液方向上流側から下流側に向けて次第に断面積が拡大する下流側気泡液路を区画形成するようにその太径部から送液方向下流側に向けて次第に細径になる縮径部とを形成した軸体を一定の内径にした外筒体内にこれと同軸的に配置しているものである。
【特許文献１】特開２００３−１１７３６５号公報
【特許文献２】特開２００４−２６７８６８号公報
【特許文献３】特開２００５−９５８７７号公報
【特許文献４】特開２００５−２８３０５号公報
【特許文献５】特開昭６１−５０１７１６号公報
【発明の開示】
【発明が解決しようとする課題】
【０００９】
しかしながら、上記特許文献２に開示された微細気泡液生成装置は、気液生成器と第一の気泡微細化器と圧力ポンプと第２の気泡微細化器が順に配置された構成のものではあるが、第２の気泡微細化器についての構造についての記載がなく、また、図示もされていない。
また、特許文献３に開示された微細気泡液生成装置は、気泡液生成器、圧力ポンプ、第一の気泡微細化器、第二の気泡微細化器をこの順で配置されているとともに、第二の気泡微細化器が貯留槽内に配置された構成が記載されているものの、特許文献２の場合と同様に、第二の気泡微細化器についての構造についての記載がない。
【００１０】
さらに、特許文献４に記載された気泡微細化器では、送液方向上流側に液流入孔を穿設した隔壁が形成されている点で共通性があるようにも思料されるが、外筒体内に気泡液を均一に流入させられるものではなく、そのことを示唆する記載もない。
また、外筒体内に気泡液を均一に流入させるという技術思想については、外筒体内に軸体を同軸的に配置した構成を前提としたものであり、特許文献４には、その前提となる構成が欠落している。
なお、「軸心を中心とした円周上に複数の液流入孔を一定の角度間隔で穿設した隔壁を送液方向上流側に形成」した構成については、他の特許文献１〜３，５にも記載はない。
【００１１】
特許文献５に記載された気泡微細化器は、上流側気泡液路と、上流側気泡液路とを有しているとともに、軸体を外筒体内にこれと同軸的に配置した構成のものであるが、第一の気泡微細化器で微細化した気泡をさらに微細化することを目的としたものではなく、そのため、液流入孔や隔壁についての記述がなく、また、そのことを示唆する記載もない。
【００１２】
そこで本発明は、構造を簡素化して安価に製造することができ、また、保守・点検作業を容易に行うことができることに加え、十分に微細な気泡を含む微細気泡液の生成を効率よく行うことができる気泡微細化器の提供を目的としている。
【課題を解決するための手段】
【００１３】
請求項１に記載した発明は、液体供給源から液体を吸引しかつその吸引した液体を圧送するための圧力ポンプと、上記圧力ポンプにより圧送される上記液体に気体を混合して生成した気泡液に含まれる気泡を微細化する第一の気泡微細化器とを有する微細気泡液生成装置に用いられ、上記第一の気泡微細化器で微細化した気泡をさらに微細化する気泡微細化器であって、軸心を中心とした円周上に複数の液流入孔を一定の角度間隔で穿設した隔壁を送液方向上流側に形成するとともに、隔壁の内面から送液方向下流側に開口形成した流出口にかけて一定の内径にして形成した外筒体と、この外筒体内に同軸的に配置され、送液方向に沿う所定の範囲にわたり一定の断面積にした上流側気泡液路を外筒体内に区画形成するように、送液方向に沿う所定の範囲にわたり液流入孔に対向する外径に形成した太径部と、上流側気泡液路の下流側に、送液方向上流側から下流側に向けて次第に断面積が拡大する下流側気泡液路を区画形成するように、その太径部から送液方向下流側に向けて次第に細径になる縮径部とを形成した軸体とを有していることを特徴としている。
【００１４】
請求項２に記載の発明は、請求項１に記載した上流側気泡液路に流入する気泡液の液量を増減調整する液量調整機構を設けていることを特徴としている。
【００１５】
請求項３に記載の発明は、請求項２に記載した液量調整機構が、隔壁の軸心に一致して形成され、軸体を螺合連結するためのネジ孔と、軸体の軸心に一致して形成され、上記隔壁のネジ孔に螺合するためのねじ部とにより構成され、軸体を正逆回転させることにより、軸体の基端面と側壁の内面との間に生じる間隙を広狭調整することを特徴としている。      
【００１６】
請求項４に記載の発明は、請求項３に記載した軸体の基端面又は外筒体の隔壁若しくはそれら双方に、液流入孔から気泡液路に至る間隙を確保するための凹凸を形成していることを特徴としている。
【００１７】
請求項５に記載の発明は、請求項１〜４のいずれかに記載した外筒体に、気泡液を排出するための連結口を含む３つの連結口を３方向に形成したＴ字形の管継手が連結されており、軸体を、外筒体に連結した管継手の連結口の外方に突出する長さに形成していることを特徴としている。
【発明の効果】
【００１８】
請求項１〜５に記載した発明によれば、液体供給源から吸引した液体に気体を混合して生成した気泡液は、第一の気泡微細化器で気泡が微細化された後、気泡微細化器において、気泡液が上流側気泡液路から下流側気泡液路に流れる間に大きな圧力変化が生じ、その大きな圧力変化によって気泡が破壊されて微細化されるので、十分に微細な気泡を含む気泡液の生成を行うことができる。
また、液送方向に沿う所定の範囲にわたり一定の断面積にした上流側気泡液路と、この上流側気泡液路の下流側に、送液方向上流側から下流側に向けて断面積が次第に拡大する下流側気泡液路とを連成した構成になっているので、気泡の微細化を効率よく行うことができる。
【００１９】
さらに、第一の気泡微細化器で微細化した気泡液に含まれている気泡をさらに微細化しているので、それら両気泡微細化器の各構造の簡素化を図ることができる。従って、保守・点検作業を容易に行うことができるとともに、安価に製造することができるようになる。
【００２０】
外筒体の隔壁によって圧力を上昇させれられるとともに、送液方向上流側から下流側に向けて次第に間隙が広くなる気泡液路における圧力変化により、その気泡液路を通過する気泡液中の気泡を効率よく破壊して微細化することができる。
【００２１】
送液方向に沿う所定の範囲にわたり一定の外径にした太径部と、下流側気泡液路を区画形成するように、太径部から送液方向下流側に向けて次第に細径になる縮径部とを形成した軸体を、一定の内径にした外筒体内にこれと同軸的に配置しているので、外筒体の隔壁によって圧力を上昇させれられるとともに、送液方向上流側から下流側に向けて次第に間隙が広くなる気泡液路における圧力変化により、その気泡液路を通過する気泡液中の気泡を効率よく破壊して微細化することができるとともに、必要な量の気泡液を生成することができる。
また、簡易な構造にすることができるとともに、高価な多孔質セラミックを使用しないので、低コストでの製造ができる。
【００２２】
上記請求項１に記載した発明で得られる効果の他、下記の各請求項に記載した発明によれば、次のような個別の効果を得ることができる。
【００２３】
請求項２に記載の発明によれば、上流側気泡液路に流入する気泡液の液量を増減調整する液量調整機構を設けている必要な量の気泡液を生成することができる。
【００２４】
請求項３に記載の発明によれば、液量調整機構が、外筒体の側壁のネジ孔に軸体のネジ部を螺合した構造を有しており、軸体を正逆回転させることにより、軸体の基端面と側壁の内面との間に生じる間隙を広狭調整しているので、簡易な構造にすることができるとともに液量の調整が容易であり、必要な量の気泡液を生成することができる。
【００２５】
請求項４に記載の発明によれば、軸体の基端面又は外筒体の隔壁若しくはそれら双方に、液流入孔から気泡液路に至る間隙を確保するための凹凸を形成しているので、側壁に軸体の基端面を当接させたときにも、基端面と側壁の内面との間に生じる間隙を確保でき、気泡液の流入を不時に停止させることがない。
【００２６】
請求項５に記載の発明によれば、外筒体に、気泡液を排出するための連結口を含む３つの連結口を３方向に形成したＴ字形の管継手が連結されており、軸体を、外筒体に連結した管継手の連結口の外方に突出する長さに形成しているので、管継手を取り外すことなく容易に液量調整を行うことができる。
【発明を実施するための最良の形態】
【００２７】
以下、本発明の一実施形態について図面を参照して説明する。図１は、本発明の第１の実施形態に係る気泡微細化器を適用した微細気泡液生成装置の全体構成図である。
【００２８】
微細気泡液生成装置は、マイクロバブルとも称される微細な気泡を含む微細気泡液を生成する機能を有するものであり、図１に示すように、水Ｗを貯留した給水槽１０から廃液等の被処理液を貯留した貯留槽１１に至る液送管路Ｐの送液方向上流側から下流側に向けて、気泡液生成器Ａ、第一の気泡微細化器Ｂ、圧力計測部Ｃ、圧力ポンプＤ、圧力安定タンクＥ及び本発明の一の実施形態に係る気泡微細化器を順次配列した構成になっている。
以下には、本発明の一の実施形態に係る気泡微細化器を「第二の気泡微細化器Ｆ」ということにする。
【００２９】
本実施形態においては、液体として「水Ｗ」を、また、気体として「空気」を例として説明するが、他の液体，気体であってもよい。
「水Ｗ」は、純水の他、川，池若しくは湖等の自然水を含むものである。
【００３０】
給水槽１０は上面を開放した直方体形のものであり、この中に水Ｗが貯留されている。この給水槽１０の一側壁１０ａには、液送管路Ｐの一部をなす取水用パイプ１２が水密的に取り付けられている。
【００３１】
その取水用パイプ１２の取水口１２ａには、給水槽１０内の水Ｗに混入されているゴミ等を除去するためのメッシュ１３を張設した取水具１４が固定されている。
なお、本実施形態においては給水槽１０を液体供給源としているが、これに限るものではなく、川，池若しくは湖等を液体供給源としてもよい。
【００３２】
図２は、気泡液生成器と第一の気泡微細化器とを連結した状態の拡大正面図、図３は、その第一の気泡微細化器の正面図、図４は、その第一の気泡微細化器の断面図、図５（Ａ）は、その第一の気泡微細化器の一方の側面図、（Ｂ）は、その他方の側面図である。
【００３３】
気泡液生成器Ａは、後記する圧力ポンプＤの吸圧力により、水Ｗに空気を混合した気泡液を生成する機能を有するものであり、それは、図２に示すように、３方向分岐の所謂Ｔ形と称されている管継手１５の上側連結口１５ａに、吸い込む空気量を増減調整するための可変バルブ１６を螺合連結してなる。
【００３４】
可変バルブ１６には、外気（空気）を吸入するための外気吸入用チューブ１７の一端部が接続されており、その外気吸入用チューブ１７の他端部は大気に開放されている。
【００３５】
なお、吸入側連結口１５ｂには上記した取水用パイプ１２の他端部が連結され、また、排出側連結口１５ｃには、詳細を後述する第一の気泡微細化器Ｂが螺合連結されている。
【００３６】
第一の気泡微細化器Ｂは例えばステンレス鋼等の金属で形成されており、それは、図２〜５に示すように、略円筒形の外筒体２０内に、これに同軸にして軸体２１を配置した構成になっている。換言すると、軸体２１を外筒体２０の軸心Ｏに一致させて配置している。
【００３７】
外筒体２０は、これの送液方向上流側の側面に側壁（隔壁）２０ａが形成され、また、送液方向下流側の側面に流出口２０ｂを開口形成した構造になっている。
【００３８】
側壁２０ａには、図５に示すように、軸心Ｏを中心とした同一の円周上に３６度の等角度間隔で円形にした５つの液流入孔２０ｃ…が配列形成されているとともに、軸体２１を固定するためのネジ２２を挿通する挿通孔２０ｄが軸心Ｏに一致して形成されている。
【００３９】
なお、液流入孔２０ｃの形成数は５つに限るものではなく、水の流量や生成する気泡の大きさ，気泡の量等を勘案して増減することができる。また、液流入孔２０ｃの形状は円形に限るものではなく楕円形や多角形にしてもよく、また、その大きさも適宜設定することができるものである。
【００４０】
外筒体２０の外周壁２０ｅの内面は、側壁２０ａの内面２０ｆから流出口２０ｂにかけて次第に内径が大きくなるテーパ形に形成されている。換言すると、外筒体２０内に円錐台形の空間が形成されている。
【００４１】
外周壁２０ｅの外面両端部にはネジ部２０ｇ，２０ｈが螺刻され、また、その外面中央部には、この外筒体２０を工具（図示しない）によって回転させるための平面部２０ｉ，２０ｉが互いに対向する位置関係にして形成されている。
【００４２】
軸体２１は、図４，５に示すように、側壁２０ａに当接する基端面２１ａから先端面２１ｂにかけて次第に小径となる略円錐台形に形成されており、その基端面２１ａの中心には、ネジ２２を螺合するためのねじ孔２１ｃが螺設されている。換言すると、軸体２１は、送液方向上流側から下流側に向けて次第に断面積が拡大する気泡液路を区画形成するように、送液方向上流側から下流側に向けて次第に細径になるように形成されている。
【００４３】
なお、軸体２１の基端面２１ａの外径は、液流入孔２０ｃ…を閉塞しない程度に設定され、また、その長さＬ１は、基端面２１ａを外筒体２０の側壁２０ａの内面２０ｆに当接したときに、正面視において先端面２１ｂが外筒体２０の流出口２０ｂにほぼ一致するようにしている。
【００４４】
すなわち、外筒体２０の側壁２０ａに軸体２１をネジ止めすることにより、軸心Ｏに一致して軸体２１が外筒体２０に固定される。これにより、外周壁２０ｅの内面と、軸体２１の外周面との間に、送液方向上流側から下流側に向けて次第に間隙が広くなる気泡液路αが区画形成される。
【００４５】
換言すると、外筒体２０内に、送液方向上流側から下流側に向けて次第に断面積が拡大する気泡液路αが形成されている。
【００４６】
上記した気泡液生成器Ａで生成された気泡液は、外筒体２０の側壁２０ａによって昇圧され、また、液流入孔２０ｃ…及び気泡液路αにおけるキャリブレーション作用によって、その気泡液中の気泡を破壊して微細化する。
【００４７】
「キャリブレーション」とは、送液方向上流側から下流側に向けて急激な圧力変化を生じさせ、これにより気泡を破壊して微細化する現象のことである。
【００４８】
なお、本実施形態においては、外筒体２０と軸体２１とを別体にした構成にしているが、それらを一体に形成してもよいことは勿論である。
【００４９】
圧力計測部Ｃは、図１に示すように、上記した管継手１５と同等の構造からなる管継手３０の上側連結口３０ａに圧力計３１を連結してなるものであり、管継手３０の吸入側連結口３０ｂには上記した第一の気泡微細化器Ｂが連結され、また、排出側連結口３０ｃには、詳細を後述する圧力ポンプＤのポンプユニット４１が連結されている。
【００５０】
なお、本実施形態においては、圧力計測部Ｃによって計測した圧力に基づいて、圧力ポンプＤの吸圧力を調整することができるようにしているが、その圧力計測部Ｃは必要に応じて設ければよいものである。
【００５１】
圧力ポンプＤは、図１に示すように、所定の吸・排圧力により給水槽１０の水Ｗを吸引し、かつ、吸引した水Ｗを液送管路に圧送する機能を有するものであり、それは、モータ４０と、このモータ４０によって駆動されるポンプユニット４１とを有して構成されている。
【００５２】
ポンプユニット４１の水吸入口４１ａには連結管４２を介して上記した圧力計測部Ｃが連結され、また、水排出口４１ｂには連結管４３が連結されている。
【００５３】
なお、４４は、ポンプユニット４１内の空気を排出するためのバルブ、４５は、本装置を始動する際に必要な水を注入するための注入口である。
【００５４】
図６は、圧力安定タンクの詳細な構成を示す正断面図である。
【００５５】
連結管４３は、図１に示すように、上記した圧力ポンプＤのポンプユニット４１に下端部（一端部）を連結され、この下端部から上方に立ち上げた左右逆向きＬ字形に形成されており、この連結管４３の上端部（他端部）に圧力安定タンクＥが固定されている。
【００５６】
圧力安定タンクＥは、図６に示すように、上記した連結管４３から送出された水Ｗの圧力、従ってまた、後述する第二の気泡微細化器Ｆに送球される気泡液の圧力を安定させる機能を有するものであり、タンク部５０内に、水噴出部５１を収納した構成になっている。
【００５７】
タンク部５０は、連結管４３から送給された水を分配するための分配器体５２と、この分配器体５２に水密的に連結された円筒形の収容体５３とからなる。
【００５８】
分配器体５２は、水平方向（横方向）及び垂直方向（縦方向）の４方向に連結口５２ａ，５２ｂ，５２ｃ，５２ｄを形成した中空のものであり、また、それら連結口５２ａ，５２ｂ，５２ｃ，５２ｄの各内壁面にはそれぞれネジ部５４が形成されている。
【００５９】
収容体５３は、下端面に開口５３ａを形成し、かつ、上端面を閉じた円筒形のものであり、下端部の外壁面にはネジ部５５が形成されている。
【００６０】
すなわち、分配器体５２の連結口５２ａのネジ部５４と、収容体５３のネジ部５５とを螺合させることにより、それらを水密的に連結することができるようにしている。
【００６１】
また、分配器体５２の一側方の連結口５２ｂには止水栓５６が水密的に螺合され、他側方の連結口５２ｄには、接続栓５７を介して詳細を後述する第二の気泡微細化器Ｆが連結されている。
【００６２】
なお、止水栓５６を連結口５２ｂから取り外し、その連結口５２ｂに接続栓５７を螺合することにより、別の第二の気泡微細化器を連結できる。すなわち、２つの第二の気泡微細化器を同時に使用することができる。
【００６３】
分配器体５２の下側の連結口５２ｃには、中央部にネジ孔５８ａを形成した接続栓５８が水密的に螺合されており、そのネジ孔５８ａには上記した連結管４３と、後述する水噴出部５１が連結されている。
【００６４】
水噴出部５１は、接続栓５８のネジ孔５８ａに端部を螺合した内部連結管５９と、これの上端部に連結具６０を介して連結された噴出体６１とからなる。
【００６５】
噴出体６１は、上下端を開口しかつ周壁に所要の間隔で円形の水噴出口６１ａ…を複数形成した本体６１ｂ内に、圧送される水Ｗに含まれるゴミ等を除去するための円筒形にしたメッシュ６２を収容したものである。
【００６６】
なお、本体６１ｂの上下端部の外周面にはネジ部６１ｃ，６１ｄが形成されており、上端部側のネジ部６１ｃには、清掃用キャップ６３が着脱自在に螺合されている。この清掃用キャップ６３を取り外すことにより、本体６１ａ内の清掃やメッシュ６２の交換等を容易に行えるようにしている。なお、ネジ部６１ｄは連結具６０と螺合連結するためのものである。
【００６７】
次に、図７〜図１４を参照して、第二の気泡微細化器について説明する。図７は、第二の気泡微細化器に管継手を連結した状態の正面図、図８は、第二の気泡微細化器の分解図、図９は、第二の気泡微細化器の正面図、図１０は、その一方の側面図、図１１は、その正断面図、図１２は、外筒体に軸体を挿し込んだ状態の断面図、図１３は、軸体の正面図である。
【００６８】
第二の気泡微細化器Ｆは、図１に示すように、上述した圧力タンクＥの側方に配置することにより、貯留槽１１の上方に位置されている。換言すると、その第二の気泡微細化器Ｆを、貯留槽１１内に貯留している被処理液Ｘに浸されることがない位置に配置している。これにより、第二の気泡微細化器Ｆを貯留槽１１内の被処理液Ｘに浸した状態にしていないので、被処理液Ｘに浸したことに起因する微生物の付着を防止できるようにしている。
【００６９】
この第二の気泡微細化器Ｆは例えばステンレス鋼等の金属で形成されており、それは、図１２に示すように、略円筒形の外筒体７０内に、これに同軸にして軸体７１を配置した構成、換言すると、軸体７１を外筒体７０の軸心Ｏに一致して配置した構成になっており、これにより、液送管路Ｐに沿う所定の範囲にわたり一定の断面積にした上流側気泡液路βと、これの下流側に、送液方向上流側から下流側に向けて次第に断面積が拡大する下流側気泡液路γとを連成している。なお、７２は管継手、７３，７４は軸体７１を支持する支持部材である。
【００７０】
外筒体７０は、図９〜１２に示すように、送液方向上流側の側面に隔壁である側壁７０ａが形成され、また、送液方向下流側の側面に流出口７０ｂを開口形成した構造になっている。
【００７１】
側壁７０ａには、軸心Ｏを中心とした同一の円周上に２２．５度の等角度間隔で配列した１６個の液流入孔７０ｃ…が穿設されている。
【００７２】
側壁７０ａの軸心Ｏに一致する部分には、ボス部７０ｄが外壁面側に突設されているとともに、これの中心には、軸体７１を螺合連結するためのネジ孔７０ｅが形成されている。
【００７３】
なお、上記した液流入孔７０ｃの形成数は１６個に限るものではなく、気泡液中の気泡の量や大きさ等を勘案して増減することができる。また、液流入孔の形状は円形に限るものではなく、楕円形や多角形にしてもよく、さらには、その大きさも適宜設定すればよいものである。
【００７４】
外筒体７０の外周壁７０ｅの内面は、側壁７０ａの内面７０ｆから流出口７０ｂにかけて一定の内径にして形成されている。換言すると、外筒体７０内に円柱形の空間が形成されている。
【００７５】
外周壁７０ｅの外面両端部にはネジ部７０ｇ，７０ｈが螺刻され、また、その外面中央部には、この外筒体７０を工具（図示しない）によって回転させるための平面部７０ｉ，７０ｉが互いに対向する位置関係にして形成されている。
【００７６】
軸体７１は、図８，１２，１３に示すように、外筒体７０の側壁７０ａに対向する基端面７１ａから先端面７１ｂ側の所要範囲にわたり一定の外径にした太径部７１ｃと、この太径部７１ｃから先端面７１ｂ側の所要の範囲にわたり次第に細径になる縮径部７１ｄと、この縮径部７１ｄから先端面７１ｂにかけて上記太径部７１ｃよりも細径の小径部７１ｄを形成してなるものであり、外筒体７０とこれに連結したＴ形の管継手７２を合わせた長さよりも長尺に形成されている。
【００７７】
なお、太径部７１ｃと縮径部７１ｄの相対的な長さ関係は、例えば縮径部７１ｄを太径部７１ｃの約２倍程度にすることができる。
【００７８】
基端面７１ａ、従ってまた、太径部７１ｃは上記液流入孔７０ｃ…が対向する外径にして形成されており、これの軸心に一致して上記したネジ孔７０ｄに螺合するためのねじ部７１ｆが突出して形成されており、また、先端面７１ｂには、蝶ネジ７５を螺合するためのネジ孔７１ｇが形成されている。
【００７９】
軸体７１を外筒体７０にネジ止めすることにより、軸体７１が外筒体７０の軸心Ｏに一致した状態になるとともに、これにより、図１２に示すように、外周壁７０ｆの内面と、軸体７１の外周壁面との間に、上流側，下流側気泡液路β，γが区画形成される。
【００８０】
ところで、軸体７１の基端面７１ａは、ねじ部７１ｆの基部を頂点とする円錐曲面に形成されており、この基端面７１ａを側壁７０ａの内面７０ｆに当接させたときにも、液流入孔７０ｃ…から上流側気泡液路βに至る間隙が形成されるようにしている。
【００８１】
なお、本実施形態においては、基端面を円錐曲面に形成しているが、これに限らず、その基端面を平面に形成しておき、側壁の内面を円錐曲面に形成してもよい。また、それら双方を円錐曲面に形成してもよく、さらには、上記した円錐曲面に限らず、液流入孔に対向しない位置にボス部を突出させて形成してもよい。
【００８２】
すなわち、基端面又は側壁若しくはそれら双方に、液流入孔７０ｃ…から気泡液路βに至る間隙を確保するための凹凸が形成されていればよいのである。
【００８３】
以上の構成からなる外筒体７０の側壁７０ａのネジ孔７０ｅに、軸体７１のネジ部７１ｆを螺合し、蝶ネジ７５を介して軸体７１を正逆回転させることにより、軸体７１の基端面７１ａと側壁７０ａの内面７０ｆとの間に生じる間隙を広狭調整することができる。
【００８４】
この広狭調整により、上流側気泡液路βに流入する気泡液の液量を増減調整することができる。また、軸体７１の基端面７１ａを円錐曲面に形成したことにより、側壁７０ａに軸体７１の基端面７１ａを当接させたときにも、基端面７１ａと側壁７０ａの内面７０ｆとの間に生じる間隙を確保でき、気泡液の流入を不時に停止させることがない。
【００８５】
すなわち、本実施形態においては、上流側，下流側気泡液路β，γに流入する気泡液の液量を増減調整する液量調整機構Ｇを、図１２に示すように、軸体７１のネジ部７１ｆ、外筒体７０のネジ孔７０ｅにより構成している。
【００８６】
また、軸体７１の先端部を、外筒体７０に連結した管継手７２の連結口７２ｂの外方に突出させていることにより、例えば管継手７２を取り外すことなく容易に液量調整を行うことができる。
【００８７】
なお、上記した「太径部７１ｃは上記液流入孔７０ｃが対向する外径にして」とは、側面視（送液方向矢視）において、基端面７１ａに液流入孔７０ｃ…が重なり合った状態になっていることである。
【００８８】
さて、管継手７２は、連結口７２ａ，７２ｂ，７２ｃを３方向に形成した所謂Ｔ形と称されているものであり、それら連結口７２ａ，７２ｂ，７２ｃの各内周壁面にはネジ部（図示しない）がそれぞれ形成されている。また、本実施形態においては、管継手７２の連結口７２ｃが気泡液を排出するためのものであり、これに流下管７７を連結している。
【００８９】
支持部材７３は、図１４に示すように、管継手７２の連結口７２ｂのネジ部に螺合するネジ部７３ａと、このネジ部７３ａよりも大径したつば部７３ｂを形成した略円柱形のものである。
【００９０】
これの中心には、上述した軸体７１の小径部７１ｅを遊挿できる遊挿孔７３ｃが形成され、また、これの他側部には、支持部材７４を螺合するためのネジ孔７３ｄが形成されている。
【００９１】
なお、７３ｅ，７３ｅは、工具（図示しない）を係止するためにつば部７３ｂに形成された平面部である。
【００９２】
支持部材７４は、図８に示すように、上記した支持部材７３のネジ孔７３ｄに螺合するネジ部７４ａを一側部に形成しているとともに、円板形のつば部７４ｂを他側部に形成した略円柱形のものであり、これの中心には、上述した軸体７１の小径部７１ｅを遊挿できる遊挿孔７４ｃが形成されている。
【００９３】
ネジ部７４ａの先端面には、Ｏリング７６を支持部材７３のネジ孔７３ｄの底部７３ｅとの間に密着させるためのリング状の凸縁７４ｄが形成されている。このＯリング７６により、軸体７１と支持部材７３の遊挿孔７３ｃとの間に生じる微小間隙からの漏水を防止している。
【００９４】
次に、上述した本装置の作用について説明する。
【００９５】
給水槽１０から吸引された水が液送管路Ｐ内を圧送されると、その水の吸圧力により外気吸入用チューブ１７から外気（空気）が吸い込まれ、これが気泡液生成器Ａの管継手１５内において水と混合され、これにより気泡液が生成される。
【００９６】
この気泡液が第一の気泡微細化器Ｂに圧送されると、外筒体２０の側壁２０ａによって圧力が上昇されるとともに、送液方向上流側から下流側に向けて次第に間隙が広くなる気泡液路αにおける圧力変化により、その気泡液路αを通過する気泡液中の気泡が破壊されて微細化される。
【００９７】
第一の気泡微細化器Ｂにおいて気泡を微細化された気泡液は、圧力安定タンクＥにおいて送圧量の安定化が図られ、その後、第二の気泡微細化器Ｆに圧送されると、外筒体７０の側壁７０ａによって圧力が上昇される。
【００９８】
そして、上流側気泡液路βと、送液方向上流側から下流側に向けて次第に断積が拡大する下流側気泡液路γにおける圧力変化により、それら上流側，下流側気泡液路β，γを通過する気泡液中の気泡がさらに破壊されて微細化される。これにより、所望の大きさの気泡を含む気泡液を生成することができる。
【００９９】
また、第二の気泡微細化器Ｆの軸体７１を正逆回転させることにより、側壁７０ａの内面７０ｆと軸体７１の基端面７１ａとの間隙を増減調整することができ、これにより、第二の気泡微細化器Ｆに流入する液量を増減調整することができる。これにより、必要な量の気泡液を貯留槽１１に供給することができるようになる。
【０１００】
十分に微細化された気泡液は、管継手７２の連結口７２ｃ及び流下管７７を介して、貯留槽１１に流下供給される。
【０１０１】
次に、図１５〜１７を参照して他の実施形態に係る第二の気泡微細化器について説明する。図１５は、本発明の他の実施形態に係る第二の気泡微細化器に管継手を連結した状態の正図、図１６は、本発明の他の実施形態に係る第二の気泡微細化器の断面図、図１７は、軸体の正面図である。
【０１０２】
なお、本実施形態においては、上述した一の実施形態に係る第二の気泡微細化器Ｆにおいて説明したものと同等のものについては、それらと同一の符号を付して詳細な説明を省略する。
【０１０３】
他の実施形態に係る気泡微細化器Ｈは、上述した外筒体７０内に、これに同軸にして軸体８０を配置した構成、換言すると、軸体８０を外筒体７０の軸心Ｏに一致して配置した構成になっている。
【０１０４】
軸体８０は、図１５〜１７に示すように、外筒体７０の側壁７０ａに対向する基端面８０ａから先端面８０ｂ側の所要範囲にわたり一定の外径にした太径部８０ｃと、この太径部８０ｃから先端面８０ｂ側の所要の範囲にわたり次第に細径になる縮径部８０ｄと、この縮径部８０ｄから先端面８０ｂにかけて上記太径部８０ｃよりも細径の小径部８０ｅを形成してなるものである。
【０１０５】
基端面８０ａ、従ってまた、太径部８０ｃは上記液流入孔７０ｃ…に対向する外径にして形成されており、その基端面８０ａには、これの軸心に一致して上記したネジ孔７０ｅに螺合するためのねじ部８０ｆが突出して形成されており、また、先端面８０ｂには、マイナスドライバ（図示しない）を挿入するための溝８０ｇが形成されている。
【０１０６】
基端面８０ａは、ねじ部８０ｆの基部を頂点とする円錐曲面に形成されており、この基端面８０ａを側壁７０ａに当接させたときにも、液流入孔７０ｃ…から上流側気泡液路βに至る間隙が形成されるようにしている。
【０１０７】
この軸体８０は、小径部８０ｅを上記軸体７１のものよりも短い長さに形成して、外筒体７０に連結した管継手９０内に収容できるようにしている。
【０１０８】
管継手９０は、異なる方向に２つの連結口９０ａ，９０ｂを形成したものであり、それら連結口９０ａ，９０ｂの内周壁面にネジ部（図示しない）が形成されている。本実施形態においては、連結口９０ａを外筒体７０に連結することにより、連結口９０ｂが気泡液の流下口となる。
【０１０９】
なお、外筒体７０の側壁７０ａに軸体８０をネジ止めすることにより、軸体８０が外筒体７０の軸心Ｏに一致して固定され、これにより、外周壁７０ｅの内面と、軸体７１の外周壁面との間に、上流側，下流側気泡液路β，γが区画形成されることは、上述した第二の気泡微細化器Ｆと同様である。
【０１１０】
本発明は前述した各実施形態に限るものではなく、次のような変形実施が可能である。  上記した実施形態においては、第二の気泡微細化器を、貯留槽内に貯留している被処理液に浸されることがない位置に配置することにより、被処理液に浸したことに起因する微生物の付着を防止した例について説明したが、これに限るものではなく、第二の気泡微細化器を、上記した被処理液に浸した位置に配置した構成にしてもよい。
【図面の簡単な説明】
【０１１１】
【図１】本発明の一実施形態に係る気泡微細化器を適用した微細気泡液生成装置の全体構成図である。
【図２】気泡液生成器と第一の気泡微細化器とを連結した状態の正面図である。
【図３】第一の気泡微細化器の正面図である。
【図４】第一の気泡微細化器の正断面図である。
【図５】（Ａ）は、第一の気泡微細化器の一方の側面図、（Ｂ）はその第一の気泡微細化器の他方の側面図である。
【図６】圧力安定タンクの詳細な構成を示す正断面図である。
【図７】本発明の一の実施形態に係る第二の気泡微細化器に管継手を連結した状態の正面図である。
【図８】本発明の一の実施形態に係る第二の気泡微細化器の分解図である。
【図９】本発明の一の実施形態に係る第二の気泡微細化器の正面図である。
【図１０】本発明の一の実施形態に係る第二の気泡微細化器の一方の側面図である。
【図１１】本発明の一の実施形態に係る第二の気泡微細化器の正断面図である。
【図１２】外筒体に軸体を挿し込んだ状態の断面図である。
【図１３】軸体の正面図である。
【図１４】本発明の他の実施形態に係る第二の気泡微細化器に管継手を連結した状態の正図である。
【図１５】本発明の他の実施形態に係る第二の気泡微細化器に管継手を連結した状態の正面図である。
【図１６】本発明の他の実施形態に係る第二の気泡微細化器の断面図である。
【図１７】軸体の正面図である。
【符号の説明】
【０１１２】
１０            液体供給源（給水槽）
７０            外筒体
７０ｃ          液流入孔
７０ａ          隔壁
７０ｂ          流出口
７０ｅ          ネジ孔
７１，８０      軸体
７１ｆ          軸体のネジ部
７１ａ          軸体の基端面
７１ａ          凹凸（円錐曲面に形成された基端面）
７２ａ〜７２ｃ  連結口
７２，９０      管継手
７１ｃ，８０ｃ  太径部
７１ｄ，８０ｄ  縮径部
Ｂ              第一の気泡微細化器
Ｄ              圧力ポンプ
Ｆ              第二の気泡微細化器
Ｇ              液量調整機構
β              上流側気泡液路
γ              下流側気泡液路
【図１】
2007144421.tif 000003
【図２】
2007144421.tif 000004
【図３】
2007144421.tif 000005
【図４】
2007144421.tif 000006
【図５】
2007144421.tif 000007
【図６】
2007144421.tif 000008
【図７】
2007144421.tif 000009
【図８】
2007144421.tif 000010
【図９】
2007144421.tif 000011
【図１０】
2007144421.tif 000012
【図１１】
2007144421.tif 000013
【図１２】
2007144421.tif 000014
【図１３】
2007144421.tif 000015
【図１４】
2007144421.tif 000016
【図１５】
2007144421.tif 000017
【図１６】
2007144421.tif 000018
【図１７】
2007144421.tif 000019